(57)【要約】【課題】二次電池の種類に応じた専用の端子ユニットを必要としない充電器を提供する。【解決手段】本体１は、第１電池を充電する電力を供給する第１正極端子３０１、第１電池と異なる第２電池を充電する電力を供給する第２正極端子３０２及び負極端子３０４を備える。アダプタ２は、第１方向に本体１に装着され、第１電池が装填された場合において、第１正極端子３０１及び負極端子３０４が第１電池に接触し、第２正極端子３０２が第１電池に接触しないように構成され、第１方向と異なる第２方向に本体１に装着され、第２電池が装填された場合において、第２正極端子３０２及び負極端子３０４が第２電池に接触し、第１正極端子３０１が第２電池に接触しないように構成されている。【選択図】図１
2014135192.tif 000002
【特許請求の範囲】
【請求項１】
第１電池を充電する電力を供給する第１正極端子、前記第１電池と異なる第２電池を充電する電力を供給する第２正極端子、及び、第１電池及び第２電池に選択的に使用される負極端子を備える本体と、
前記本体に対して、第１方向及び前記第１方向と異なる第２方向に選択的に、前記本体に装着可能であり、前記第１電池及び前記第２電池が選択的に装填可能であるアダプタとを備え、
前記アダプタは、前記第１方向に前記本体に装着され、前記第１電池が装填された場合において、前記第１正極端子及び前記負極端子が前記第１電池に接触し、前記第２正極端子が前記第１電池に接触しないように構成され、前記第２方向に前記本体に装着され、前記第２電池が装填された場合において、前記第２正極端子及び前記負極端子が前記第２電池に接触し、前記第１正極端子が前記第２電池に接触しないように構成されていることを特徴とする充電器。
【請求項２】
前記アダプタは、前記第１方向に前記本体に装着された場合において、前記第２正極端子を変形させ、前記第２方向に前記本体に装着された場合において、前記第１正極端子を変形させることを特徴とする請求項１に記載の充電器。
【請求項３】
前記アダプタは、着脱方向に延伸する第１不使用端子スリット及び第２不使用端子スリットを有し、
前記第１正極端子は、前記アダプタが前記第２方向に前記本体に装着された場合において、前記第２不使用端子スリットの縁部に押圧されることにより変形し、前記第２正極端子は、前記アダプタが前記第１方向に前記本体に装着された場合において、前記第１不使用端子スリットの縁部に押圧されることにより変形することを特徴とする請求項１又は２に記載の充電器。
【請求項４】
前記アダプタは、前記第１電池が装填される際、前記第１電池を所定の位置にガイドする第１電池ガイドと、前記第１電池ガイドと異なる形状であり、前記第２電池が装填される際、前記第２電池を所定の位置にガイドする第２電池ガイドとを備えることを特徴とする請求項１〜３のいずれか１項に記載の充電器。
【請求項５】
前記本体は、前記第１電池の種類を標示する第１種標示と、前記第２電池の種類を標示する第２種標示とを有し、
前記アダプタは、前記第１種標示及び前記第２種標示を選択的に表示する標示窓を有し、
前記標示窓は、前記アダプタが第１方向に前記本体に装着された状態で前記第１種標示を表示し、前記アダプタが第２方向に前記本体に装着された場合に状態で前記第２種標示を表示することを特徴とする請求項１〜４のいずれか１項に記載の充電器。
【請求項６】
前記アダプタは、合成樹脂材料から一体成形されることを特徴とする請求項１〜５のいずれか１項に記載の充電器。
【請求項７】
前記第１方向は、前記アダプタの着脱方向に対して直交する方向であり、前記第２方向は、前記第１方向と逆方向であることを特徴とする請求項１〜６のいずれか１項に記載の充電器。
【請求項８】
前記本体は、第１電池又は第２電池の内部温度に応じた電圧を入力するＴ端子を備え、
前記アダプタは、前記第１方向に前記本体に装着され、前記第１電池が装填された場合において、前記Ｔ端子が前記第１電池に接触するように構成され、前記第２方向に前記本体に装着され、前記第２電池が装填された場合において、前記Ｔ端子が前記第２電池に接触するように構成されていることを特徴とする請求項１〜７のいずれか１項に記載の充電器。
【発明の詳細な説明】
【技術分野】
【０００１】
本発明は、複数種類の二次電池を選択的に充電する充電器に関する。
【背景技術】
【０００２】
一般に、複数種類の二次電池を充電する場合、電池の種類毎に対応する充電器が使用される。複数種類の電池に対応する充電器として、電池の種類を識別するための端子を備える充電器が提案されている。この場合、電池側も識別用の端子を備える必要があり、充電器及び電池の製造コストが増大する。また、１つの端子が複数の機能を有する充電器が提案されている。この場合、充電器及び電池に特別な仕様が必要であり、充電器及び電池の製造コストが増大する。
【０００３】
また、種類毎に端子の配置が異なる電池に対応して、複数の端子を備える充電器が提案されている。この場合、充電器及び電池は、比較的簡易な構成となり、更に、対応していない電池を充電する事故を低減することができる。しかし、使用しない端子が電池に接触して電池に傷を付ける恐れがある。仮に電池にダミー形状を設けるとしても、新たに電池を設計する必要があり、更に、電池のデザインが制限されてしまう。これに対して、電池の種類に応じた専用の端子ユニットを介して、電池の端子に接続する充電器が提案されている（特許文献１参照）。
【先行技術文献】
【特許文献】
【０００４】
【特許文献１】特開平７−３３５２６８号公報
【発明の概要】
【発明が解決しようとする課題】
【０００５】
しかしながら、特許文献１に記載の発明は、充電する二次電池の種類と同数の端子ユニットが必要であることから、使用方法が煩雑となる恐れ及び製造コストが増大する恐れがある。
【０００６】
上記問題点を鑑み、本発明は、二次電池の種類に応じた専用の端子ユニットを必要としない充電器を提供することを目的とする。
【課題を解決するための手段】
【０００７】
上記目的を達成するために、本発明の第１の態様は、第１電池を充電する電力を供給する第１正極端子（３０１）、第１電池と異なる第２電池を充電する電力を供給する第２正極端子（３０２）、及び、第１電池及び第２電池に選択的に使用される負極端子（３０４）を備える本体（１）と、本体（１）に対して、第１方向及び第１方向と異なる第２方向に選択的に、本体（１）に装着可能であり、第１電池及び第２電池が選択的に装填可能であるアダプタ（２）とを備える充電器であることを要旨とし、アダプタ（２）は、第１方向に本体（１）に装着され、第１電池が装填された場合において、第１正極端子（３０１）及び負極端子（３０４）が第１電池に接触し、第２正極端子（３０２）が第１電池に接触しないように構成され、第２方向に本体（１）に装着され、第２電池が装填された場合において、第２正極端子（３０２）及び負極端子（３０４）が第２電池に接触し、第１正極端子（３０１）が第２電池に接触しないように構成されていることを特徴とする。
【発明の効果】
【０００８】
本発明によれば、二次電池の種類に応じた専用の端子ユニットを必要としない充電器を提供することができる。
【図面の簡単な説明】
【０００９】
【図１】本発明の実施の形態に係る充電器を説明する模式的な斜視図である。
【図２】本発明の実施の形態に係る充電器が備える本体を説明する模式的な平面図である。
【図３】本発明の実施の形態に係る充電器が備えるアダプタを説明する模式的な平面図である。
【図４】本発明の実施の形態に係る充電器を説明する模式的な平面図である。
【図５】図４のＡ−Ａ方向から見た端面図である。
【図６】図４のＢ−Ｂ方向から見た端面図である。
【図７】本発明の実施の形態に係る充電器が第２電池を充電する場合を説明する模式的な斜視図である。
【図８】図７の背面側から見た斜視図である。
【図９】本発明の実施の形態に係る充電器が第１電池を充電する場合を説明する模式的な斜視図である。
【図１０】図９の背面側から見た斜視図である。
【発明を実施するための形態】
【００１０】
次に、図面を参照して、本発明の実施の形態を説明する。以下の図面の記載において、同一又は類似の部分には同一又は類似の符号を付し、重複する説明を省略している。また、以下に示す実施の形態は、本発明の技術的思想を具体化するための素子や装置を例示するものであって、本発明の技術的思想は、構成部品の形状、構造、配置等を下記のものに特定するものでない。本発明の技術的思想は、特許請求の範囲に記載された技術的範囲内において、種々の変更を加えることができる。
【００１１】
（充電器）
本発明の実施の形態に係る充電器は、図１に示すように、複数種類の二次電池を選択的に充電する本体１と、本体１に対して、第１方向及び第１方向と異なる第２方向に選択的に、本体１に装着可能であるアダプタ２とを備える。
【００１２】
本発明の実施の形態において、充電器が充電可能な二次電池を第１電池及び第１電池と種類の異なる第２電池とし、第１電池をニッケル水素充電池、第２電池をリチウムイオン充電池として説明する。また、アダプタ２の本体１に対する着脱方向を垂直方向、第１方向を着脱方向に対して直交する方向、第２方向を第１方向と逆方向として説明する。すなわち、第２方向は、垂直方向に沿う回転軸について、第１方向から１８０°回転した方向である。
【００１３】
本体１は、上方に向けて開口する、概略として四角柱状のキャビティ部１０を、アダプタ２が装着される装着部として有する。キャビティ部１０は、矩形平板状の１枚の底部１１と、底部１１の４辺からそれぞれ垂直に延伸する矩形平板状の４枚の側壁部１２とによって形成される空隙部である。
【００１４】
底部１１は、図２に示すように、第１電池の種類を標示する第１種標示１１１と、第２電池の種類を標示する第２種標示１１２とを上面に有する。第１種標示１１１は、第１電池の種類であるニッケル水素を示す「Ｎｉ−ＭＨ」を標示する。第２種標示１１２は、第２電池の種類であるリチウムイオンを示す「Ｌｉ−ｉｏｎ」を標示する。第１種標示１１１及び第２種標示１１２の配置は、底部１１の中心を対称の中心とした点対称の平面パターンを有する。
【００１５】
互いに対向する２枚の側壁部１２は、それぞれ内側の面に、一対のアダプタガイド１３が形成されている。アダプタガイド１３は、それぞれ、垂直方向に延伸するリブ状のレールである。アダプタガイド１３は、アダプタ２が第１方向及び第２方向に選択的に本体１に装着される際、アダプタ２を適正な位置にガイドする。
【００１６】
アダプタガイド１３が形成された２枚の側壁部１２は、それぞれ、上部の中央部に、アダプタ２が本体１に対して着脱する際に使用されるハンドル受け部１４及びフック受け部１４１を備える。ハンドル受け部１４は、側壁部１２の、高さが他所より低く形成された切り欠き部である。
【００１７】
本体１は、第１電池を充電する電力を供給する第１正極端子３０１と、第２電池を充電する電力を供給する第２正極端子３０２と、Ｔ端子３０３と、負極端子３０４とを備える。第１正極端子３０１、第２正極端子３０２、Ｔ端子３０３及び負極端子３０４は、側壁部１２の、アダプタガイド１３が形成されていない２枚のうち一方に、水平方向に順に配列される。
【００１８】
第１正極端子３０１、第２正極端子３０２、Ｔ端子３０３及び負極端子３０４は、それぞれ、垂直方向に延伸し、キャビティ部１０の内側に突出するように屈曲する板ばねからなる。第１正極端子３０１、第２正極端子３０２、Ｔ端子３０３及び負極端子３０４は、それぞれ、第１電池及び第２電池の各端子に対応する位置に、キャビティ部１０の内側に突出する突起部を、第１電池及び第２電池の各端子に接触する接触部として有する。第１正極端子３０１、第２正極端子３０２、Ｔ端子３０３及び負極端子３０４は、キャビティ部１０の外側方向に圧迫された場合において内側方向に押し戻すように形成されている。
【００１９】
第１正極端子３０１は、第１電池を充電する場合において、第１電池の正極端子に接触する。第２正極端子３０２は、第２電池を充電する場合において、第２電池の正極端子に接触する。
【００２０】
Ｔ端子３０３は、第１電池及び第２電池に共通して使用される端子である。Ｔ端子３０３は、第１電池を充電する場合において第１電池のＴ端子に接触し、第２電池を充電する場合において第２電池のＴ端子に接触する。Ｔ端子３０３は、第１電池又は第２電池が備えるサーミスタ等に電気的に接続される。Ｔ端子３０３は、充電中の二次電池の内部温度に応じた電圧を第１電池又は第２電池から本体１に入力する。本体１は、Ｔ端子３０３から入力された電圧に応じて、充電中の二次電池への電力の供給を停止することにより、過充電等の事故を低減することができる。
【００２１】
負極端子３０４は、第１電池及び第２電池に共通して使用される端子である。負極端子３０４は、接地電位に接続され、第１電池を充電する場合において第１電池の負極端子に接触し、第２電池を充電する場合において第２電池の負極端子に接触する。
【００２２】
アダプタ２は、概略として上面の全面を開口する直方体の箱状であり、矩形平板状の１枚の底部２１と、底部２１の４辺からそれぞれ垂直に延伸する矩形平板状の４枚の側壁部１２とを備える。アダプタ２は、概略として四角柱状のキャビティ部２０を、第１電池及び第２電池が選択的に装填される装填部として有する。キャビティ部２０は、底部２１と側壁部２２とによって形成される空隙部である。アダプタ２は、第１電池及び第２電池を選択的に装填可能である。アダプタ２は、例えば合成樹脂材料から一体成形可能である。
【００２３】
底部２１は、図３に示すように、アダプタ２が本体１に装着された場合において、本体１の第１種標示１１１及び第２種標示１１２を選択的に表示する標示窓２１０を有する。標示窓２１０は、上面から下面に開口する貫通孔である。
【００２４】
標示窓２１０は、アダプタ２が第１方向に本体１に装着された状態で、第１種標示１１１が標示窓２１０を介して視認可能なように第１種標示１１１の上方に位置することにより、第１種標示１１１を表示する。標示窓２１０は、アダプタ２が第２方向に本体１に装着された状態で、第２種標示１１２が標示窓２１０を介して視認可能なように第２種標示１１２の上方に位置することにより、第２種標示１１２を表示する。
【００２５】
底部２１は、上面に、アダプタ２が第１方向に本体１に装着された状態で、第１電池の充電に使用する端子の種別と位置とを標示する第１端子標示２１１を有する。底部２１は、上面に、アダプタ２が第２方向に本体１に装着された状態で、第２電池の充電に使用する端子の種別と位置とを標示する第２端子標示２１２を有する。
【００２６】
互いに対向する２枚の側壁部２２は、それぞれ外側の面に、それぞれ一対の第１アダプタガイド溝２３１及び第２アダプタガイド溝２３２が形成されている（図１参照）。第１アダプタガイド溝２３１及び第２アダプタガイド溝２３２は、それぞれ、アダプタガイド１３に対応する、垂直方向に延伸する溝である。
【００２７】
アダプタ２は、第１方向に本体１に装着される際に、第１アダプタガイド溝２３１とアダプタガイド１３とが対応することにより、上方から下方にスライドする。アダプタ２は、第２方向に本体１に装着される際に、第２アダプタガイド溝２３２とアダプタガイド１３とが対応することにより、上方から下方にスライドする。
【００２８】
側壁部２２は、第１アダプタガイド溝２３１及び第２アダプタガイド溝２３２が形成された２枚の、それぞれ、上端部の中央部に、アダプタ２を本体１に対して着脱する際にユーザに掴まれる２つのハンドル部２４を備える。ハンドル部２４は、側壁部２２の上端部から外側に延伸する。ハンドル部２４は、アダプタ２が第１方向及び第２方向に選択的に、本体に装着された場合において、ハンドル受け部１４に配置される。ハンドル受け部１４は、アダプタ２が取り外される際に、ユーザが掴みやすい形状となっている。
【００２９】
ハンドル部２４が形成された２枚の側壁部２２は、それぞれハンドル部２４が位置する両端側に、それぞれ、側壁部２２の上端から下方に垂直方向に突出する、片面から他面に貫通する２本のハンドルスリット２４０が形成されている。２つのハンドル部２４は、それぞれ、側壁部２２のハンドルスリット２４０に挟まれた部位が弾性変形することにより、対向する方向に変位可能となっている。
【００３０】
２つのハンドル部２４は、それぞれ、下方に本体１のフック受け部１４１と対応してアダプタ２を固定するフック部２４１を備える。ハンドル部２４及びフック部２４１は、それぞれ、底部２１の中心を通る垂線を対称の中心とした２回回転対称のトポロジーを有する。フック部２４１は、フック受け部１４１と掛かり合うことにより、アダプタ２が第１方向及び第２方向に選択的に、本体１に装着された状態でアダプタ２を固定する。フック部２４１は、ハンドル部２４が内側に移動されることによりフック受け部１４１から離れ、アダプタ２の本体１に対する固定が解除される。
【００３１】
側壁部２２は、ハンドル部２４が形成された２枚の、それぞれ内側の面に、それぞれ一対の第１電池ガイド２５１及び第１電池ガイド２５１と異なる形状の第２電池ガイド２５２が形成されている。  
【００３２】
第１電池ガイド２５１は、それぞれ、垂直方向に延伸するリブ状のレールである。第１電池ガイド２５１は、アダプタ２が第１方向本体に装着され、第１電池が装填される際、第１電池を所定の位置にガイドする。第２電池ガイド２５２は、それぞれ、垂直方向に延伸するリブ状のレールであり、第１電池ガイド２５１と異なる平面パターンを有する。第２電池ガイド２５２は、アダプタ２が第２方向本体に装着され、第２電池が装填される際、第２電池を所定の位置にガイドする。
【００３３】
アダプタ２は、側壁部２２のハンドル部２４が形成されない対向する２枚のうち、一方側に、第１正極端子スリット４１１と、第１不使用端子スリット４１２と、第１Ｔ端子スリット４１３と、第１負極端子スリット４１４とを有する。アダプタ２は、側壁部２２のハンドル部２４が形成されない対向する２枚のうち、他方側に、第２不使用端子スリット４２１と、第２正極端子スリット４２２と、第２Ｔ端子スリット４２３と、第２負極端子スリット４２４とを有する。
【００３４】
第１正極端子スリット４１１、第１不使用端子スリット４１２、第１Ｔ端子スリット４１３及び第１負極端子スリット４１４は、それぞれ、底部２１及び側壁部２２の片面から他面に貫通して形成される。第１正極端子スリット４１１、第１Ｔ端子スリット４１３及び第１負極端子スリット４１４は、それぞれ、底部２１の一部から側壁部２２の上部まで垂直方向に延伸する。第１不使用端子スリット４１２は、底部２１の一部から側壁部２２の中間部まで延伸し、第１正極端子スリット４１１、第１Ｔ端子スリット４１３及び第１負極端子スリット４１４よりも上端の位置が低く形成される。
【００３５】
第１正極端子スリット４１１、第１不使用端子スリット４１２、第１Ｔ端子スリット４１３及び第１負極端子スリット４１４は、アダプタ２が第１方向に本体に装着された場合において、それぞれ、本体１の第１正極端子３０１、第２正極端子３０２、Ｔ端子３０３及び負極端子３０４に対応する位置に形成される。
【００３６】
第２不使用端子スリット４２１、第２正極端子スリット４２２、第２Ｔ端子スリット４２３及び第２負極端子スリット４２４は、それぞれ、底部２１及び側壁部２２の片面から他面に貫通して形成される。第２正極端子スリット４２２、第２Ｔ端子スリット４２３及び第２負極端子スリット４２４は、それぞれ、底部２１の一部から側壁部２２の上部まで垂直方向に延伸する。第２不使用端子スリット４２１は、底部２１の一部から側壁部２２の中間部まで延伸し、第２正極端子スリット４２２、第２Ｔ端子スリット４２３及び第２負極端子スリット４２４よりも上端の位置が低く形成される。
【００３７】
第２不使用端子スリット４２１、第２正極端子スリット４２２、第２Ｔ端子スリット４２３及び第２負極端子スリット４２４は、アダプタ２が第２方向に本体に装着された場合において、それぞれ、本体１の第１正極端子３０１、第２正極端子３０２、Ｔ端子３０３及び負極端子３０４に対応する位置に形成される。
【００３８】
第１正極端子スリット４１１、第１不使用端子スリット４１２、第１Ｔ端子スリット４１３及び第１負極端子スリット４１４の配置と、第２不使用端子スリット４２１、第２正極端子スリット４２２、第２Ｔ端子スリット４２３及び第２負極端子スリット４２４の配置とは、底部２１の中心を通る垂線を対称の中心とした２回回転対称のトポロジーを有する。
【００３９】
例えば、図４に示すように、アダプタ２が第２方向に本体１に装着された場合において、標示窓２１０は、第２電池の種類を標示する第２種標示１１２を表示する。第２電池は、第２電池ガイド２５２にガイドされることによりアダプタ２に装填される。アダプタ２は、第２方向に本体１に装着され、第２電池が装填された場合において、第２正極端子３０２、Ｔ端子３０３及び負極端子３０４が第２電池の各端子に接触するように構成されている。
【００４０】
第１電池の充電に使用される第１正極端子３０１は、図５に示すように、第２不使用端子スリット４２１の縁部に押圧されることにより変形し、接触部がキャビティ部２０の外側方向に変位する。第２不使用端子スリット４２１の縁部には、第１正極端子３０１に沿うように傾斜し、第１正極端子３０１と接触する接触面Ｐが形成される。第１正極端子３０１は、接触面Ｐに押圧され、第２電池と接触しない位置まで変形される。
【００４１】
第２電池の充電に使用される第２正極端子３０２は、図６に示すように、第２正極端子スリット４２２の縁部に押圧されず、接触部が変位しない。Ｔ端子３０３、負極端子３０４も同様に、それぞれ、第２Ｔ端子スリット４２３、第２負極端子スリット４２４の縁部に押圧されず、接触部が変位しない。
【００４２】
このように、アダプタ２は、第２方向に本体１に装着され、第２電池が装填された場合において、第２正極端子３０２、Ｔ端子３０３及び負極端子３０４が第２電池の各端子に接触し、第１正極端子３０１が第２電池に接触しないように構成されている。
【００４３】
例えば、第２電池であるリチウムイオン電池６は、図７及び図８に示すように、第２正極端子６２と、第２Ｔ端子６３と、第２負極端子６４と、第２電池ガイド溝６５とを備える。リチウムイオン電池６は、第２電池ガイド溝６５が第２電池ガイド２５２と対応してスライドすることにより、アダプタ２に装填される。第２正極端子６２、第２Ｔ端子６３及び第２負極端子６４は、アダプタ２が第２方向に本体１に装着され、リチウムイオン電池６が第２電池ガイド２５２に対応してアダプタ２に装填された場合、本体１の第２正極端子３０２、Ｔ端子３０３及び負極端子３０４に接触する。
【００４４】
なお、本体１の背面側に設けられた電源入力部３５は、本体１が充電する二次電池に電力を供給するための電源を、ＡＣアダプタ等の外部電源装置から入力するレセプタクルである。
【００４５】
第１電池ガイド２５１は、リチウムイオン電池６の第２電池ガイド溝６５と機械的に対応しておらず、アダプタ２は、第２電池ガイド２５２によりリチウムイオン電池６を所定の位置に装填できる。更に、アダプタ２は、誤って第１方向に本体１に装着され、リチウムイオン電池６が第２電池ガイド２５２側に装填された場合であっても、第２正極端子６２、第２Ｔ端子６３及び第２負極端子６４が、本体１の各端子に接触されないため、誤充電等の事故を低減できる。
【００４６】
アダプタ２が第１方向に本体１に装着された場合において、標示窓２１０は、第１電池の種類を標示する第１種標示１１１を表示する。第１電池は、第１電池ガイド２５１にガイドされることによりアダプタ２に装填される。アダプタ２は、第１方向に本体１に装着され、第１電池が装填された場合において、第１正極端子３０１、Ｔ端子３０３及び負極端子３０４が第１電池の各端子に接触するように構成されている。
【００４７】
第２正極端子３０２は、第１不使用端子スリット４１２の縁部に押圧されることにより変形し、接触部がキャビティ部２０の外側に移動する。第１不使用端子スリット４１２の縁部には、第２正極端子３０２に沿うように傾斜し、第２正極端子３０２と接触する接触面（図示省略）が形成され、第２正極端子３０２は、接触面に押圧され、第１電池と接触しない位置まで変形される。
【００４８】
第１正極端子３０１、Ｔ端子３０３及び負極端子３０４は、それぞれ、第１正極端子スリット４１１、第１Ｔ端子スリット４１３及び第１負極端子スリット４１４の縁部に押圧されず、接触部が変位しない。
【００４９】
このように、アダプタ２は、第１方向に本体１に装着され、第１電池が装填された場合において、第１正極端子３０１、Ｔ端子３０３及び負極端子３０４が第１電池の各端子に接触し、第２正極端子３０２が第１電池に接触しないように構成されている。
【００５０】
例えば、第１電池であるニッケル水素電池５は、図９及び図１０に示すように、第１正極端子５１と、第１Ｔ端子５３と、第１負極端子５４と、第１電池ガイド溝５５とを備える。ニッケル水素電池５は、第１電池ガイド溝５５が第１電池ガイド２５１と対応してスライドすることにより、アダプタ２に装填される。第１正極端子５１、第１Ｔ端子５３及び第１負極端子５４は、アダプタ２が第１方向に本体１に装着され、ニッケル水素電池５が第１電池ガイド２５１に対応してアダプタ２に装填された場合、本体１の第１正極端子３０１、Ｔ端子３０３及び負極端子３０４に接触する。
【００５１】
第２電池ガイド２５２は、ニッケル水素電池５の第１電池ガイド溝５５と機械的に対応しておらず、アダプタ２は、第１電池ガイド２５１によりニッケル水素電池５を所定の位置に装填できる。更に、アダプタ２は、誤って第２方向に本体１に装着され、ニッケル水素電池５が第１電池ガイド２５１側に装填された場合であっても、第１正極端子５１、第１Ｔ端子５３及び第１負極端子５４が、本体１の各端子に接触されないため、誤充電等の事故を低減できる。
【００５２】
本発明の実施の形態に係る充電器によれば、充電する二次電池の種類に応じてアダプタ２の装着方向を決定することにより、複数種類の二次電池に対して本体１及びアダプタ２を共用することができる。よって、本発明の実施の形態に係る充電器は、二次電池の種類に応じた専用の端子ユニットを必要とせず、簡単な構成で、製造コストを低減することができる。
【００５３】
また、本発明の実施の形態に係る充電器によれば、充電する二次電池に使用しない正極端子が、アダプタ２の装着方向に応じて二次電池に接触しないので、二次電池に傷を付けることがなく、二次電池の設計が容易である。更に、市場において既存の二次電池に容易に対応することができ、開発コストが低い。
【００５４】
また、本発明の実施の形態に係る充電器によれば、充電する二次電池に使用しない正極端子を、スリットを使用して変形させることで、正極端子の負担を低減することができる。
【００５５】
また、本発明の実施の形態に係る充電器によれば、第１電池ガイド２５１及び第２電池ガイド２５２を有することにより、対応しない二次電池の装填を機械的に防止することができ、誤充電等の事故を低減することができる。
【００５６】
また、本発明の実施の形態に係る充電器によれば、標示窓２１０が、アダプタ２の装着方向に応じて、第１種標示１１１及び第２種標示１１２を選択的に表示するので、適正な二次電池の種類を容易に識別することができる。
【００５７】
また、本発明の実施の形態に係る充電器によれば、アダプタ２が単一の合成樹脂材料から一体成型可能であるので、製造コストが低い。
【００５８】
（その他の実施の形態）
上記のように、本発明の実施の形態によって記載したが、この開示の一部をなす論述及び図面は本発明を限定するものであると理解すべきではない。この開示から当業者には様々な代替実施の形態、実施例及び運用技術が明らかとなろう。
【００５９】
例えば、既に述べた実施の形態において、第１不使用端子スリット４１２及び第２不使用端子スリット４２１は、スリット状に限るものでない。第１不使用端子スリット４１２及び第２不使用端子スリット４２１は、第１正極端子３０１又は第２正極端子３０２を押圧することにより変形させ、第２電池又は第１電池に接触させない押圧部として構成されればよい。
【００６０】
また、既に述べた実施の形態において、第１方向及び第２方向は、互いに逆方向に限るものでなく、それ以外の種々の方向とすることができる。この場合、第１方向及び第２方向に応じて、アダプタ２の各部を変形させればよい。また、充電器が充電可能な二次電池の種類も２種類に限るものでなく、充電器の正極端子を３種類以上にし、対応するアダプタの設置方向を３方向以上にすることにより、充電可能な二次電池の種類を３種類以上にすることができる。  
【００６１】
また、既に述べた実施の形態において、アダプタ２が、複数の正極端子のうちのいずれかを変形させることにより、充電に使用されない不使用端子とする構成を説明したが、アダプタ２は、正極端子（第１主電極端子）、負極端子（第２主電極端子）及びＴ端子のいずれを不使用端子とするようにしてもよい。例えば、充電器本体が、１つの正極端子と複数の負極端子とを備え、アダプタが、複数の負極端子のいずれかを不使用端子とするようにしてもよい。この場合、複数の負極端子が、それぞれ異なる電位に接続されることは勿論である。その他、充電器本体は、それぞれ複数の正極端子、負極端子及びＴ端子を備え、アダプタは、充電する二次電池に応じて、正極端子、負極端子及びＴ端子をそれぞれ選択的に不使用端子とするようしてもよい。
【００６２】
その他、上述の構成を相互に応用した構成等、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００６３】
Ｐ  接触面
１  本体
２  アダプタ
１０  キャビティ部
１１  底部
１２  側壁部
１３  アダプタガイド
１４  ハンドル受け部
２０  キャビティ部
２１  底部
２２  側壁部
２４  ハンドル部
１１１  第１種標示
１１２  第２種標示
１４１  フック受け部
２１０  標示窓
２１１  第１端子標示
２１２  第２端子標示
２３１  第１アダプタガイド溝
２３２  第２アダプタガイド溝
２４０  ハンドルスリット
２４１  フック部
２５１  第１電池ガイド
２５２  第２電池ガイド
３０１  第１正極端子
３０２  第２正極端子
３０３  Ｔ端子
３０４  負極端子
４１１  第１正極端子スリット
４１２  第１不使用端子スリット
４１３  第１Ｔ端子スリット
４１４  第１負極端子スリット
４２１  第２不使用端子スリット
４２２  第２正極端子スリット
４２３  第２Ｔ端子スリット
４２４  第２負極端子スリット
【図１】
2014135192.tif 000003
【図２】
2014135192.tif 000004
【図３】
2014135192.tif 000005
【図４】
2014135192.tif 000006
【図５】
2014135192.tif 000007
【図６】
2014135192.tif 000008
【図７】
2014135192.tif 000009
【図８】
2014135192.tif 000010
【図９】
2014135192.tif 000011
【図１０】
2014135192.tif 000012